(57)【要約】【課題】  費用や労力を低減し、廃棄物の量を減らすことができる継電装置の交換方法を提供する。【解決手段】  継電器ユニット２の所定の交換時に、継電装置盤１の外観と、継電装置盤１の構成部品および制御ケーブル３〜１０の絶縁抵抗が検査される。絶縁抵抗値が基準値未満の場合は、継電器ユニット２を含む継電装置盤１と制御ケーブル３〜１０は廃棄されて新しいものに交換される。絶縁抵抗値が基準値以上であれば継電器ユニット２が交換され、必要に応じてケーブルや構成部品が交換あるいは修理される。劣化の度合いに応じて交換範囲が変更されるので、交換費用と労力を低減することができ、交換に伴う廃棄物の量を減らすことができる。【選択図】        図１
2006304549.tif 000002
【特許請求の範囲】
【請求項１】
送電回線の数に応じた数の継電器ユニットを備える継電装置の交換方法であって、
前記継電器に接続されるケーブルの絶縁抵抗値を検査する検査ステップと、
前記検査ステップで検査される前記絶縁抵抗値が基準値以上であれば前記継電器ユニットのみを交換すると判定し、前記絶縁抵抗値が前記基準値未満であれば前記継電装置と前記ケーブルを交換すると判定するステップと、
前記判定ステップにおいて前記継電器ユニットのみを交換すると判定された場合に、前記継電器ユニットを新しい継電器ユニットに交換する第１の交換ステップと、
前記判定ステップにおいて前記継電装置と前記ケーブルを交換すると判定された場合に、前記継電装置と前記ケーブルを新しい継電装置と新しいケーブル交換する第２の交換ステップとを備え、
前記第１の交換ステップは、
前記新しい継電器ユニットを前記継電装置に接続する接続端子の形状が前記継電器ユニットの接続端子の形状と異なるときは、前記新しい継電器ユニットの接続端子と前記継電装置の接続端子とを接続する変換アダプタを介して接続するステップを含む、継電装置の交換方法。
【発明の詳細な説明】
【技術分野】
【０００１】
この発明は、変電所に用いられる継電装置の交換方法に関するものであり、特に過電流継電器の交換方法に関するものである。
【背景技術】
【０００２】
変電所には、電力の受電側で異常状態が発生した場合に受電側への電力供給を遮断して変電所への影響を未然に防ぐため、各種の保護装置が設けられる。保護装置の１つに、電路の短絡や地絡により生じる過電流を検知して受電側への電力供給を遮断させる過電流継電器がある。
【０００３】
過電流継電器は信頼性や安全性の観点から交換時期が設定される。従来では、過電流継電器の交換作業の際に過電流継電器と周辺機器とを接続する制御ケーブルなどの部品も新品に交換されていた。
【０００４】
図７は、従来の交換方法が適用される範囲を示す模式図である。図７を参照して、継電装置盤４１は、過電流を検出する継電器ユニット４２を送電回線ごとに備える。
【０００５】
また、継電装置盤４１は、制御ケーブル４３，４４を介して送電線に過電流が流れたことを検知して電力供給を遮断する遮断器５１を動作させる。継電装置盤４１は、さらに、制御ケーブル４５〜４８を介して制御盤５２に継電装置盤４１の動作状況を伝達する。継電装置盤４１は、さらに、制御ケーブル４９、５０を介して制御装置５３による監視や操作がなされる。
【０００６】
継電器ユニット４２は、送電線および遮断器５１に流れる高電流（たとえば１０００アンペアの電流）が低電流（たとえば５アンペアの電流）に図７で図示しない変流器によって変流された計測電流を受ける。継電器ユニット４２は計測電流の電流値が一定値以上であれば過電流であると判断して遮断器５１に対し動作信号を送る。遮断機は動作信号を受けて送電回線の送電を遮断する。
【０００７】
従来の交換方法では、以上説明した継電装置盤４１、制御ケーブル４３〜５０が対象範囲である。
【０００８】
図８は、継電装置盤４１の構成の一例を示す図である。図８を参照して、継電装置盤４１は、継電器ユニット４２と、予備スペース５４と、操作スイッチ群５５とを備える。予備スペース５４には、継電装置盤４１が監視する送電回線の数に応じて継電器ユニット４２が取付けられる。図８では、監視する送電回線の数が２回線の例が示される。継電器ユニット４２は継電装置盤４１と電気的に接続され、遮断器５１、制御盤５２、制御装置５３と各種の電気信号を交換する。
【０００９】
従来の継電器ユニットは、機械式スイッチの開閉やトランジスタのスイッチング動作を利用して動作信号を発生させる。一方、計測電流の電流値をＡＤ変換によって数値に変換し、設定値を超えた電流が流れたことを検知して動作信号を発生させる継電器ユニット（以下、デジタル型継電器ユニットと称する）がある。デジタル型継電器ユニットは、従来の機械式スイッチやトランジスタを用いた継電器ユニット（以下、従来型継電器ユニットと称する）と比較して長寿命や高信頼性といった利点を有し、近年では多く採用される。
【００１０】
継電装置や制御ケーブルを含む交換作業は、安全性や費用の点からできるだけ少ない労力や費用で行なわれることが求められる。また、継電器ユニットを備える継電装置においては、継電器ユニットの交換後においても交換前と同等以上の信頼性や寿命が求められる。このような要求に対応する先行技術の例として、特許文献１では、少ない力で継電器ユニットを抜き差し可能な機構を備えることによって交換作業を軽減し、継電器ユニットを高信頼性で動作させる保護継電装置が開示される。
【特許文献１】特開２００１−３３９８１６号公報
【発明の開示】
【発明が解決しようとする課題】
【００１１】
従来の交換方法においては継電装置本体と周辺部品の経年劣化を考慮して、定期的に継電装置本体と周辺部品をすべて新品に交換していた。
【００１２】
しかし、電子部品や機構部品が多用される継電器ユニットの寿命と比較すれば、各種部品の使用が少ない継電装置本体や制御ケーブルの寿命のほうが長い。また、特許文献１に開示される例のように、交換範囲を細分化した保護継電装置が存在する。
【００１３】
従来の交換方法では、継電器ユニット以外の部分は継続して使用可能であっても、全範囲を対象として交換していた。そのため交換作業の労力や費用が多くなるとともに交換に伴う廃棄物の量が多いという課題があった。
【００１４】
本発明は、上述の問題点を解決するためになされたものであって、その目的は、交換作業における労力および費用の低減と、交換作業に伴う廃棄物の量を減らすことが可能な継電装置の交換方法を提供するものである。
【課題を解決するための手段】
【００１５】
本発明は要約すれば、継電器ユニットを送電回線数に応じて複数備える継電装置の交換方法であって、継電装置の交換方法は、継電器に接続されるケーブルの絶縁抵抗値を検査する検査ステップと、検査ステップで検査される絶縁抵抗値が基準値以上であれば継電器ユニットのみを交換すると判定し、絶縁抵抗値が基準値未満であれば継電装置とケーブルを交換すると判定するステップと、判定ステップにおいて継電器ユニットのみを交換すると判定された場合に、所定の使用期間を経過した継電器ユニットを新しい継電器ユニットに交換する第１の交換ステップと、判定ステップにおいて継電装置とケーブルを交換すると判定された場合に、継電装置とケーブルを新しい継電装置と新しいケーブルに交換する第２の交換ステップとを備え、第１の交換ステップは、新しい継電器ユニットを継電装置に接続する接続端子の形状が継電器ユニットの接続端子の形状と異なるときは、新しい継電器ユニットの接続端子と継電装置の接続端子とを接続する変換アダプタを介して接続するステップを含む。
【発明の効果】
【００１６】
本発明の継電装置の交換方法は交換費用や作業労力を低減し、交換にともなう廃棄物の量を減らすことができる。
【発明を実施するための最良の形態】
【００１７】
以下において、本発明の実施の形態について図面を参照して詳しく説明する。なお、図中同一符号は同一または相当部分を示す。
【００１８】
［実施の形態１］
図１は、実施の形態１の継電装置の交換方法が適用される範囲を示す模式図である。
【００１９】
図１を参照して、継電装置盤１は過電流を検出する継電器ユニット２を送電回線ごとに備える。継電器ユニット２は、上述の従来型継電器ユニットあるいはデジタル型継電器ユニットである。
【００２０】
継電装置盤１は、制御ケーブル３，４を介して電力供給を遮断する遮断器１１を動作させる。制御ケーブル３は、たとえば遮断器１１に電流を遮断させるよう信号を伝達する。制御ケーブル４は、たとえば図示されない変流器から継電器ユニット２に遮断器１１に流れる高電流を計測するための電流を送る。
【００２１】
また、継電装置盤１は制御ケーブル５〜８を介して動作状況を制御盤１２に伝達する。制御ケーブル５〜８は、たとえば、故障を制御盤１２に表示させるための信号を送る。
【００２２】
また、制御ケーブル９は、たとえば継電装置盤１から制御装置１３に動作状況を伝達する。制御ケーブル１０は、たとえば制御装置１３から継電装置盤１に各種操作を指示するための信号を伝達する。
【００２３】
実施の形態１の交換方法について説明する。継電器ユニット２の所定の交換時に、継電装置盤１の外観と、継電装置盤１の構成部品および制御ケーブル３〜１０の絶縁抵抗が検査される。絶縁抵抗値が基準値未満の場合は、継電器ユニット２を含む継電装置盤１と制御ケーブル３〜１０は廃棄されて新しいものに交換される。絶縁抵抗値が基準値以上であれば継電器ユニット２が交換され、必要に応じてケーブルや構成部品が交換あるいは修理される。劣化の度合いに応じて交換範囲が変更されるので、交換費用と労力を低減することができ、交換に伴う廃棄物の量を減らすことができる。
【００２４】
図２は、継電器ユニット交換後の継電装置盤１の構成の一例を示す図である。図２を参照して、継電装置盤１は、デジタル型継電器ユニット２１と、遮断器の導通状態を電気的に表示する補助スイッチ２２と、従来型継電器ユニット２３と、継電器ユニット取付けのための予備スペース２４と、操作スイッチ群２５とを含む。なお、図２では、デジタル型継電器ユニット２１はＤｉＲｙユニットと示され、補助スイッチ２２はＡＵＸと示され、従来型継電器ユニットはＴＲＲｙユニットと示される。デジタル型継電器ユニット２１と補助スイッチ２２とは、従来型継電器ユニットを継電装置盤１から取外して生じたスペースあるいは予備スペース２４を利用して取付けられる。
【００２５】
図３は、実施の形態１の継電装置の交換方法を示すフローチャートである。
【００２６】
図３を参照して、ステップＳ０で処理が開始されると、ステップＳ１では継電器ユニット２と、図示されない継電装置盤１の各種構成部品と、制御ケーブル３〜１０について検査が行なわれる。
【００２７】
ステップＳ１では、継電装置盤１が交換対象かどうかが検査される。また、ステップＳ１では構成部品について、たとえば外観にひびや変色が生じていないかが検査される。また、ステップＳ１では制御ケーブルについて絶縁抵抗値が測定される。絶縁抵抗の基準値は、たとえば１００メガオームに設定される。
【００２８】
続いて、ステップＳ２に進み、検査結果から交換範囲が継電器ユニットのみか全範囲かが判断される。ステップＳ２については後に詳細な説明がなされる。
【００２９】
ステップＳ２で、継電器ユニットのみ交換と判断されるとステップＳ３に進む。ステップＳ３では、交換対象となった継電器ユニット２が取外され、新しい継電器ユニットが取付けられる。新しい継電器ユニットは、たとえばデジタル型継電器ユニット２１および補助スイッチ２２である。
【００３０】
一方、ステップＳ２で全範囲について交換と判断されるとステップＳ４に進む。ステップＳ４では、継電装置盤１および制御ケーブル３〜１０がすべて新品に交換される。
【００３１】
ステップＳ３又はステップＳ４が終了すると続いてステップＳ５に進み、継電装置の交換が終了する。
【００３２】
図４は、図３のステップＳ２をより詳細に示すフローチャートである。
【００３３】
図４を参照して、まず、ステップＳ１０において処理が開始されるとステップＳ１１に進む。ステップＳ１１では、図３のステップＳ１で検査された外観や絶縁抵抗値の結果から、継電装置の構成部品や制御ケーブルに汚損がないかどうかが判断される。ステップＳ１１において、汚損がありと判断されるとステップＳ１２に進む。一方、汚損がないと判断されると後述するステップＳ１４に進む。
【００３４】
次にステップＳ１２では、汚損ありと判断された構成部品やケーブルについて、補修が可能であるかどうかが判断される。ステップＳ１２において、たとえば金属部分の腐食が著しく進んでいるため補修が不可能と判断されると、ステップＳ１８に進む。一方、ステップＳ１２において補修が可能と判断されると、ステップＳ１３に進む。
【００３５】
ステップＳ１８では、全範囲で交換を行なうため図３のステップＳ４に進むよう指示される。ステップＳ１８においてステップＳ４に進むよう指示され、処理が終了する。
【００３６】
ステップＳ１３では、対象部分の修理あるいは交換が行なわれる。ステップＳ１３で対象部分の修理や交換が終了すると、続いてステップＳ１４に進む。
【００３７】
ステップＳ１４では、特に構成部品について、絶縁抵抗値の検査結果から端子部分の絶縁性能回復のための清掃が必要かどうかが判断される。ステップＳ１４において清掃が必要であると判断されるとステップＳ１５に進み、端子部分の清掃が行なわれる。ステップＳ１５で清掃が終了するとステップＳ１６に進む。一方、ステップＳ１４において清掃不要と判断された場合もステップＳ１６に進む。
【００３８】
続いてステップＳ１６では、腐食の程度をもとに端子部分の防湿処理が必要であるかどうかが判断される。腐食の原因は主に湿度であり、金属部分に生じた腐食は絶縁特性を劣化させる。
【００３９】
ステップＳ１６において防湿処理が必要であると判断されると、ステップＳ１７に進む。ステップＳ１７では、たとえば、保護剤の塗布による防湿処理がなされる。ステップＳ１７で防湿処理が終了するとステップＳ１９に進む。一方、ステップＳ１６において防湿処理が不要であると判断されると、同様にステップＳ１９に進む。
【００４０】
ステップＳ１９では、継電器ユニットの交換を行なうため図３のステップＳ３に進むよう指示される。ステップＳ１９においてステップＳ３に進むよう指示され、処理が終了する。
【００４１】
図５は、図３のステップＳ３をより詳細に示すフローチャートである。
【００４２】
図５を参照して、ステップＳ２１で処理が開始されるとステップＳ２２に進み、交換対象となる継電器ユニットが継電装置から取外される。
【００４３】
続いて、ステップＳ２３に進み、新しい継電器ユニットが取付けられるに際し、新しい継電器ユニットのコネクタ形状が継電装置の接続コネクタの形状と一致するかどうかが判断される。コネクタ形状は各々の継電装置によって異なることが多く、コネクタの種類としては、たとえば丸型や角型がある。
【００４４】
コネクタ形状が一致すると判断されるとステップＳ２４に進む。一方、コネクタ形状が一致しないと判断されると、ステップＳ２５に進む。
【００４５】
ステップＳ２５では、コネクタ変換アダプタが新しい継電器ユニットを継電装置に接続するために用いられる。ステップＳ２５で、コネクタ変換アダプタによる接続が行なわれると、続いてステップＳ２４に進む。
【００４６】
ステップＳ２４では、新しい継電器ユニットが継電装置にねじなどによって固定される。続いてステップＳ２６に進み、継電器ユニットの交換作業が終了する。
【００４７】
図６は、コネクタ変換アダプタによる継電器ユニットの接続を示す模式図である。図６では、図５のステップＳ２５についてより具体的に説明される。
【００４８】
図６を参照して、継電器ユニット交換前には継電器ユニット３１が継電装置盤１に取り付けられる。継電器ユニット３１は丸型のコネクタ３５を含む。継電装置盤１と継電器ユニット３１とは、接続ケーブル３４（図中、点線で示す）で接続される。継電器ユニット３１は、たとえば従来型継電器ユニットである。
【００４９】
次に、継電器ユニット３１は、たとえばデジタル型継電器ユニット２１に交換される。デジタル型継電器ユニット２１は角型のコネクタ３６を含む。コネクタ形状が異なるため、継電器ユニット２１は継電装置盤１と直接は接続できない。したがって、一方端が角型のコネクタ３６に接続され、他方端に丸型のコネクタを有する接続ケーブル３２に接続されるコネクタ変換アダプタ３３が用いられる。
【００５０】
コネクタ変換アダプタ３３が用いられることでコネクタ形状の異なる継電器ユニットも継電装置に取付けることが可能となる。したがって、交換作業にともなう労力や費用を低減することができる。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】実施の形態１の継電装置の交換方法が適用される範囲を示す模式図である。
【図２】継電器ユニット交換後の継電装置盤１の構成の一例を示す図である。
【図３】実施の形態１の継電装置の交換方法を示すフローチャートである。
【図４】図３のステップＳ２をより詳細に示すフローチャートである。
【図５】図３のステップＳ３をより詳細に示すフローチャートである。
【図６】コネクタ変換アダプタによる継電器ユニットの接続を示す模式図である。
【図７】従来の交換方法が適用される範囲を示す模式図である。
【図８】継電装置盤４１の構成の一例を示す図である。
【符号の説明】
【００５３】
１  継電装置、２  継電器ユニット、３〜１０  制御ケーブル、１１  遮断器、１２  制御盤、１３  制御装置、２１  デジタル型継電器ユニット、２２  補助スイッチ、２３  従来型継電器ユニット、２４  予備スペース、２５  操作スイッチ群、３１  継電器ユニット、３２  接続ケーブル、３３  コネクタ変換アダプタ、３４  接続ケーブル、３５，３６  コネクタ、４１  継電装置、４２  継電器ユニット、４３〜５０  制御ケーブル、５１  遮断器、５２  制御盤、５３  制御装置、５４  予備スペース、５５  操作スイッチ群、Ｓ１〜Ｓ２６  ステップ。
【図１】
2006304549.tif 000003
【図２】
2006304549.tif 000004
【図３】
2006304549.tif 000005
【図４】
2006304549.tif 000006
【図５】
2006304549.tif 000007
【図６】
2006304549.tif 000008
【図７】
2006304549.tif 000009
【図８】
2006304549.tif 000010